(57)【要約】      （修正有）【課題】簡易に効果的な広告を可能とするメモ帳を提供する。【解決手段】表紙と台紙の間に複数の用紙４が重ねられてこれらが各一端で離脱可能に止着されており、各用紙４には同一位置にメモ欄４２と広告欄４１が設けられて、各用紙４の広告欄４１には同一配置で広告内容４３〜４７が印刷され、使用者が上位の用紙４を分離しあるいはめくった際に常に下位の用紙４の同一位置で広告欄４１の広告内容４３〜４７が使用者に視認され認識されるようにする。【選択図】図３
0003198447.tif 000002
【実用新案登録請求の範囲】
【請求項１】
複数の用紙が重ねられてこれらが各一端で離脱可能に止着されており、各用紙には同一位置にメモ欄と広告欄が設けられて、各用紙の広告欄には同一配置で広告内容が印刷され、使用者が上位の用紙を分離しあるいはめくった際に常に下位の用紙の同一位置で広告欄の広告内容が使用者に視認され認識されるようにしたメモ帳。
【請求項２】
前記広告欄には社名、担当者名、連絡先、似顔絵の少なくとも一つが記されている請求項１に記載のメモ帳。
【請求項３】
前記複数の用紙は表紙と台紙の間に配置されており、メモ帳の未使用の状態で、前記表紙には剥離可能なシート材が覆着され、当該シート材の表面に社名、担当者名、連絡先、似顔絵の少なくとも一つが記されている請求項１又は２に記載のメモ帳。
【考案の詳細な説明】
【技術分野】
【０００１】
本考案はメモ帳に関し、特に広告機能を有するメモ帳に関するものである。
【背景技術】
【０００２】
広告機能を有するメモ帳としては例えば特許文献１に示すようなものが提案されており、これは、帯状用紙の上下を交互に折り返すことによって数枚の紙片が重ねられて一体的に形成されており、残りの紙片の枚数にかかわりなく、全体として同じ文字が現れるようなパターンが印刷されたものである。
【先行技術文献】
【特許文献】
【０００３】
【特許文献１】実用新案登録第３０７２９６８号
【考案の概要】
【考案が解決しようとする課題】
【０００４】
しかし、上記提案のメモ帳では、帯状用紙の上下を交互に折り返す等の製作の手間を要し、従来一般的なメモ帳の構造を大きく変更する必要があるという問題があった。
【０００５】
そこで、本考案はこのような課題を解決するもので、従来のメモ帳の構造を大きく変更することなく簡易に効果的な広告を可能とするメモ帳を提供することを目的とする。
【課題を解決するための手段】
【０００６】
上記課題を解決するために、本第１考案のメモ帳では、複数の用紙（４）が重ねられてこれらが各一端で離脱可能に止着されており、各用紙（４）には同一位置にメモ欄（４２）と広告欄（４１）が設けられて、各用紙（４）の広告欄（４１）には同一配置で広告内容（４３〜４７）が印刷され、使用者が上位の用紙（４）を分離しあるいはめくった際に常に下位の用紙（４）の同一位置で広告欄（４１）の広告内容（４３〜４７）が使用者に視認され認識されるようにする。
【０００７】
本第１考案によれば、メモを取るために最上位の用紙が分離されると新たに最上位となった用紙にも同一位置の広告欄に同一配置で広告内容が記されているから、使用者は新たな用紙内で視線を迷わせることなく上記広告欄を自然に視認し広告内容を認識することとなって、メモを取るたびにこれが繰り返されるから大きな広告効果が得られる。
【０００８】
本第２考案のメモ帳では、前記広告欄（４１）には社名（４３）、連絡先（４４）、担当者名（４５）、似顔絵（４７）の少なくとも一つが記されている。
【０００９】
本第３考案のメモ帳では、前記複数の用紙（４）は表紙（１）と台紙（２）の間に配置されており、メモ帳の未使用の状態で、前記表紙（１）には剥離可能にシート材が覆着され、当該シート材の表面に社名、担当者名、連絡先、似顔絵の少なくとも一つが記されている。
【００１０】
本第３考案によれば、表紙からシート材を剥がして机の所定の場所等へ貼り付けておけば、使用者はメモ帳とは別に常に広告欄を視認しその広告内容を確認することができる。
【００１１】
上記カッコ内の符号は、後述する実施形態に記載の具体的手段との対応関係を参考的に示すものである。
【考案の効果】
【００１２】
以上のように、本考案に係るメモ帳によれば、従来のメモ帳の構造を大きく変更することなく簡易に効果的な広告が可能となる。
【図面の簡単な説明】
【００１３】
【図１】メモ帳の全体斜視図である。
【図２】メモ帳の表紙の正面図である。
【図３】メモ帳の用紙の正面図である。
【考案を実施するための形態】
【００１４】
なお、以下に説明する実施形態はあくまで一例であり、本考案の要旨を逸脱しない範囲で当業者が行う種々の設計的改良も本考案の範囲に含まれる。
【００１５】
（第１実施形態）
図１にはメモ帳の外観を示す。メモ帳は、矩形の表紙１とこれと同形のやや厚めの台紙２を、互いの対向縁をやや離した状態でこれら対向縁の間を同幅の粘着テープ３で連結して、側面視で扁平なコ字形となっている。そして、表紙１と台紙２の間に、これらと同形の矩形の用紙４が多数重ねられて、これらの一端が糊付けによって互いに離脱可能に止着されて粘着テープ３のテープ面に接している。以上の構造は、基本的に従来のメモ帳と同一である。
【００１６】
メモ帳の表紙１には本実施形態では図２に示すように、虹をバックにしてこれに沿って湾曲させて「いつも」との吹き出しを伴う「ありがとうございます」の文字が上辺部に印刷され、「何かお困りのことはないですか？」「なんでもご相談ください」の文字が中間部に、そして下辺部には社名１１、電話番号、ファックス番号等の連絡先１２、吹き出しを伴う「営業の○○です」との担当者名１３および似顔絵１４が印刷されている。
【００１７】
図３には用紙４の正面図を示す。用紙４は全て同一の構成となっており、本実施形態では各用紙４の下辺部は一定の上下幅で紙幅方向へ延びる着色された広告欄４１となっている。広告欄４１には白抜きで社名４３、電話番号やファックス番号等の連絡先４４、担当者名４５と「なんでもご相談ください！」との吹き出し４６を伴う担当者の似顔絵４７が印刷されている。広告欄４１を除く用紙４の上半の空白部はメモ欄４２となっている。なお、全ての用紙４の上記広告欄４１の位置・大きさは同一であり、広告内容の各配置も同一となっている。
【００１８】
このような構成のメモ帳において、表紙１が購入時のままに最上位にある場合には使用者は表紙１の下辺部の社名１１等によって広告内容を視認し認識できるが、表紙１は使用中には往々にして台紙２側へ折り重ねられてしまうことが多い。ここにおいて、本考案のメモ帳によれば、表紙１がめくられて新たに最上位となった用紙４には下辺部に広告欄４１が設けてあるから、使用者はこの広告欄４１を視認し広告内容を認識することになる。メモを取るために最上位の用紙４を分離しても、当該用紙４の広告欄４１を使用者は視認して広告内容を認識することになる。
【００１９】
この際、最上位の用紙４が分離されて新たに最上位となった用紙４にも下辺部には同一位置に同一配置で広告内容が記された広告欄４１があるから、使用者は新たに最上位となった用紙４内でも視線を迷わせることなく上記広告欄４１を自然に視認し広告内容を認識することになる。さらに用紙４がめくられあるいは分離されても、新たに最上位になった用紙４には常に同一位置に同一配置で広告内容が記された広告欄４１があるから、使用者は新たな用紙４内で同様に視線を迷わせることなく上記広告欄４１を自然に視認し広告内容を認識することになる。
【００２０】
このようにして、本考案のメモ帳によれば、使用時のあらゆる場面で使用者に広告内容を、視線を迷わせることなく自然に視認し認識させることができるから、大きな広告効果を得ることができる。
【００２１】
（第２実施形態）
メモ帳の表紙に剥離可能なシート材、例えば粘着シートを覆着し、当該シート材の表面に上記第１実施形態の表紙１と同様の社名１１、連絡先１２、担当者名１３や似顔絵１４等を印刷しておく。メモ帳を使用する際に表紙１から上記シート材を剥がして机の所定の場所等へ貼り付けておけば、使用者はメモ帳とは別に広告欄を視認してその広告内容を確認することができる。
【符号の説明】
【００２２】
１…表紙、２…台紙、３…粘着テープ、４…用紙、４１…広告欄、４３…社名、４４…連絡先、４５…担当者名、４７…似顔絵。
【図１】
0003198447.tif 000003
【図２】
0003198447.tif 000004
【図３】
0003198447.tif 000005